(57)【要約】【課題】ＩＣカードが装着されているか否かを確実に検出し、電気回路システムを確実にリセットする。【解決手段】携帯端末は、ＩＣカードが挿入されるカードコネクタと、カードコネクタに挿入され又はカードコネクタから抜出されるＩＣカードによって開閉状態が切り替わり、ＩＣカードがカードコネクタに挿入され又はカードコネクタから抜出された状態で開閉状態を保持するスイッチ２００と、を備える。また、携帯端末は、スイッチの開閉状態の切り替わりを検出してリセット信号を送出するリセット制御部３００と、リセット制御部３００から送出されたリセット信号を受信して電気回路システムのリセットシーケンスを実行する電気回路制御部４００と、を備える。【選択図】図５
2014032476.tif 000002
【特許請求の範囲】
【請求項１】
ＩＣカードが挿入されるカードコネクタと、
前記カードコネクタに挿入され又は前記カードコネクタから抜出される前記ＩＣカードによって開閉状態が切り替わり、前記ＩＣカードが前記カードコネクタに挿入され又は前記カードコネクタから抜出された状態で前記開閉状態を保持するスイッチと、
前記スイッチの開閉状態の切り替わりを検出してリセット信号を送出するリセット制御部と、
前記リセット制御部から送出されたリセット信号を受信して電気回路システムのリセットシーケンスを実行する電気回路制御部と、
を備えることを特徴とする携帯端末。
【請求項２】
電源から電力が供給されると電気回路システムのリセットシーケンスを実行する電気回路制御部と、
ＩＣカードが挿入されるカードコネクタと、
前記カードコネクタに挿入され又は前記カードコネクタから抜出される前記ＩＣカードによって開閉状態が切り替わり、前記ＩＣカードが前記カードコネクタに挿入され又は前記カードコネクタから抜出された状態で前記開閉状態を保持するスイッチと、
前記スイッチの開閉状態の切り替わりを検出してリセット信号を送出するリセット制御部と、
前記電源と前記電気回路制御部との間に設けられ、前記リセット制御部から送出されたリセット信号を受信して前記電気回路制御部に対する電力の供給遮断状態を切り替える給電切替部と、
を備えることを特徴とする携帯端末。
【請求項３】
前記リセット制御部は、前記リセット信号を一定時間送出し、
前記給電切替部は、前記リセット制御部から送出された前記リセット信号を受信している間、電力の遮断状態を保持する、
ことを特徴とする請求項２に記載の携帯端末。
【請求項４】
前記スイッチは、前記ＩＣカードが前記カードコネクタに挿入されると、開状態から閉状態に切り替わり、
前記リセット制御部は、前記スイッチの開状態から閉状態への切り替わりを検出してリセット信号を送出する、
ことを特徴とする請求項１乃至３のいずれか１項に記載の携帯端末。
【請求項５】
前記スイッチは、前記ＩＣカードが前記カードコネクタから抜出されると、閉状態から開状態に切り替わり、
前記リセット制御部は、前記スイッチの閉状態から開状態への切り替わりを検出してリセット信号を送出する、
ことを特徴とする請求項１乃至３のいずれか１項に記載の携帯端末。
【請求項６】
前記スイッチは、前記ＩＣカードが前記カードコネクタに挿入されると、閉状態から開状態に切り替わり、
前記リセット制御部は、前記スイッチの閉状態から開状態への切り替わりを検出してリセット信号を送出する、
ことを特徴とする請求項１乃至３のいずれか１項に記載の携帯端末。
【請求項７】
前記スイッチは、前記ＩＣカードが前記カードコネクタから抜出されると、開状態から閉状態に切り替わり、
前記リセット制御部は、前記スイッチの開状態から閉状態への切り替わりを検出してリセット信号を送出する、
ことを特徴とする請求項１乃至３のいずれか１項に記載の携帯端末。
【請求項８】
前記スイッチは、前記カードコネクタに一体に設けられている、
ことを特徴とする請求項１乃至７のいずれか１項に記載の携帯端末。
【請求項９】
カードコネクタに挿入し又はカードコネクタから抜出するＩＣカードによってスイッチの開閉状態を切り替えるスイッチ切替ステップと、
スイッチの開閉状態の切り替わりを検出してリセット信号を送出するリセット制御ステップと、
リセット信号を受信して携帯端末の電気回路システムのリセットシーケンスを実行する電気回路制御ステップと、
を含むことを特徴とする携帯端末のリセット方法。
【請求項１０】
カードコネクタに挿入し又はカードコネクタから抜出するＩＣカードによってスイッチの開閉状態を切り替えるスイッチ切替ステップと、
スイッチの開閉状態の切り替わりを検出してリセット信号を送出するリセット制御ステップと、
リセット信号を受信して電力の供給遮断状態を切り替える給電切替ステップと、
電力の遮断状態から電力の供給状態に切り替わると、携帯端末の電気回路システムのリセットシーケンスを実行する電気回路制御ステップと、
を含むことを特徴とする携帯端末のリセット方法。
【発明の詳細な説明】
【技術分野】
【０００１】
本発明は、携帯端末、及び携帯端末のリセット方法に関する。
【背景技術】
【０００２】
携帯端末にフリーズが発生した場合、携帯端末を正常動作する状態へ復旧させるための手段の一つとして、携帯端末の電気回路システムをリセットする方法がある。電気回路システムをリセットするには、例えば、ユーザが携帯端末の電源である電池を取り外して携帯端末への給電を一旦遮断し、その後、電池を取り付けて給電を再開する。この手順の実施により、携帯端末の起動シーケンスが動作して、電気回路システムがリセットされる。
【０００３】
しかしながら、近年、防水機能の付与や小型化を目的として、裏蓋を簡単には開けられない構造を採用した携帯端末が増えており、このような携帯端末から電池を取り外すことは困難である。従って、電気回路システムをリセットするため、電池を取り外して給電を遮断する以外の方法を実施する必要がある。
【０００４】
こういった実情を踏まえ、携帯端末から容易に取り外し可能なＳＩＭ（Subscriber Identity Module）カードが携帯端末に装着されているか否かを検出して、電気回路システムをリセットする方法が考えられる。
【０００５】
なお、ＳＩＭカードとは、ＩＣ（Integrated Circuit）カードの１種であり、ＧＳＭ（登録商標）（Global System for Mobile Communications）やＷ−ＣＤＭＡ（Wideband Code Division Multiple Access）などの無線通信方式の携帯電話に装着されるものをいう。ＳＩＭカードには、携帯電話のユーザ情報等が記録される。
【０００６】
上記したＳＩＭカードが携帯端末に装着されているか否かの検出は、具体的には、ＳＩＭカードへのアクセスを定期的に実施し、ＳＩＭカードからの応答信号があるかないかによって行う。この場合には、例えばＳＩＭカードからの応答信号がない状態から応答信号がある状態になったこと、即ち、ＳＩＭカード装着されたことを検出した時に、電気回路システムをリセットする。
【０００７】
また、ＳＩＭカードの装着に伴って電気回路システムをリセットする方法が特許文献１に開示されている。特許文献１に記載された方法は、ＩＣカード装着時にＩＣカード内部の電気回路の負荷電流が変化することを検出することで、端末機器に対する当該ＩＣカードの装着、取り外しを検出する。
【先行技術文献】
【特許文献】
【０００８】
【特許文献１】特開平６−２６６９０８号公報
【発明の概要】
【発明が解決しようとする課題】
【０００９】
しかしながら、上述したＳＩＭカードからの応答信号があるかないかによってＳＩＭカードの装着の有無を検出する方法では、携帯端末にフリーズが発生すると、電気回路システムが正常に動作せず、ＳＩＭカードへのアクセスが行えない場合がある。よって、ＳＩＭカードの装着の有無を確実に検出できない。
【００１０】
また、特許文献１に記載のＩＣカード検出方法では、ＩＣカードとＩＣカードコネクタとの間の電気接触抵抗値が不安定である場合には、ＩＣカードの装着の有無の検出精度も不安定になる。よって、ＩＣカードの装着の有無を確実に検出できない。
従って、上記２つの方法では、携帯端末の電気回路システムを確実にリセットすることができない、という問題がある。
【００１１】
本発明は、上記実情に鑑みてなされたものであり、ＩＣカードが装着されているか否かを確実に検出することができ、電気回路システムを確実にリセットすることができる携帯端末、及び携帯端末のリセット方法を提供することを目的とする。
【課題を解決するための手段】
【００１２】
上記の目的を達成するために、本発明の第１の観点に係る携帯端末は、
ＩＣカードが挿入されるカードコネクタと、
前記カードコネクタに挿入され又は前記カードコネクタから抜出される前記ＩＣカードによって開閉状態が切り替わり、前記ＩＣカードが前記カードコネクタに挿入され又は前記カードコネクタから抜出された状態で前記開閉状態を保持するスイッチと、
前記スイッチの開閉状態の切り替わりを検出してリセット信号を送出するリセット制御部と、
前記リセット制御部から送出されたリセット信号を受信して電気回路システムのリセットシーケンスを実行する電気回路制御部と、
を備えることを特徴とする。
【００１３】
また、本発明の第２の観点に係る携帯端末は、
電源から電力が供給されると電気回路システムのリセットシーケンスを実行する電気回路制御部と、
ＩＣカードが挿入されるカードコネクタと、
前記カードコネクタに挿入され又は前記カードコネクタから抜出される前記ＩＣカードによって開閉状態が切り替わり、前記ＩＣカードが前記カードコネクタに挿入され又は前記カードコネクタから抜出された状態で前記開閉状態を保持するスイッチと、
前記スイッチの開閉状態の切り替わりを検出してリセット信号を送出するリセット制御部と、
前記電源と前記電気回路制御部との間に設けられ、前記リセット制御部から送出されたリセット信号を受信して前記電気回路制御部に対する電力の供給遮断状態を切り替える給電切替部と、
を備えることを特徴とする。
【００１４】
また、本発明の第３の観点に係る携帯端末のリセット方法は、
カードコネクタに挿入し又はカードコネクタから抜出するＩＣカードによってスイッチの開閉状態を切り替えるスイッチ切替ステップと、
スイッチの開閉状態の切り替わりを検出してリセット信号を送出するリセット制御ステップと、
リセット信号を受信して携帯端末の電気回路システムのリセットシーケンスを実行する電気回路制御ステップと、
を含むことを特徴とする。
【００１５】
また、本発明の第４の観点に係る携帯端末のリセット方法は、
カードコネクタに挿入し又はカードコネクタから抜出するＩＣカードによってスイッチの開閉状態を切り替えるスイッチ切替ステップと、
スイッチの開閉状態の切り替わりを検出してリセット信号を送出するリセット制御ステップと、
リセット信号を受信して電力の供給遮断状態を切り替える給電切替ステップと、
電力の遮断状態から電力の供給状態に切り替わると、携帯端末の電気回路システムのリセットシーケンスを実行する電気回路制御ステップと、
を含むことを特徴とする。
【発明の効果】
【００１６】
本発明によれば、ＩＣカードが装着されているか否かを確実に検出することができ、電気回路システムを確実にリセットすることができる。
【図面の簡単な説明】
【００１７】
【図１】（ａ）は、第１の実施形態に係る携帯端末を正面から見た斜視図である。（ｂ）は、第１の実施形態に係る携帯端末を背面から見た斜視図である。
【図２】第１の実施形態に係る携帯端末のカードコネクタの分解斜視図である。
【図３】図２のＡ−Ａ断面図であって、スイッチの開状態を示す図である。
【図４】図２のＡ−Ａ断面図であって、スイッチの閉状態を示す図である。
【図５】図１の携帯端末の特徴的な機能構成を示す図である。
【図６】スイッチの電位の変化に応じて送出されるリセット信号のタイミングチャート図である。（ａ）は、スイッチの電位Ｅｓを示す図であり、（ｂ）は、リセット制御部が出力する信号の電位Ｅｒを示す図である。
【図７】第２の実施形態に係る携帯端末の特徴的な機能構成を示す図である。
【図８】スイッチの電位の変化に応じて送出されるリセット信号等のタイミングチャート図である。（ａ）は、スイッチの電位Ｅｓを示す図であり、（ｂ）は、リセット制御部が出力する信号の電位Ｅｒを示す図である。（ｃ）は、半導体スイッチの供給遮断状態を示す図である。
【図９】ＳＩＭカードの挿入又は抜出とスイッチの種類の組み合わせを示す図である。
【図１０】スイッチの構成及び動作の例を示す図である。（ｓ１）は、スイッチの開状態を示す図であり、（ｓ２）は、スイッチの閉状態を示す図である。
【図１１】スイッチの構成及び動作の例を示す図である。（ｓ１）は、スイッチの閉状態を示す図であり、（ｓ２）は、スイッチの開状態を示す図である。
【図１２】スイッチの構成及び動作の例を示す図である。（ｓ１）は、スイッチの閉状態を示す図であり、（ｓ２）は、スイッチの開状態を示す図である。
【図１３】スイッチの構成及び動作の例を示す図である。（ｓ１）は、スイッチの開状態を示す図であり、（ｓ２）は、スイッチの閉状態を示す図である。
【発明を実施するための形態】
【００１８】
（第１の実施形態）
本実施形態では、本発明に係る携帯端末が、図１に示すような携帯電話１で構成される例を説明する。携帯電話１は、他の携帯端末と、電話通信を行うための機能や、メール送受信等の音声以外のデータ通信を行う機能を備えている。これらの機能は、図示しない電気回路システムによって実現される。
また、携帯電話１は防水機能を有している。携帯電話１の電源である電池４は、携帯電話１に内蔵されている。携帯電話１は電池カバーを備えていない。従って、携帯電話１は、電池４を容易に取り外すことができない構成となっている。
【００１９】
さらに、携帯電話１は、ＬＣＤ（Liquid Crystal Display）等から構成される表示部５や、テンキー等から構成される入力部６や、音響装置であるマイクやスピーカー等（図示せず）を備える。
また、携帯電話１は、ＳＩＭカード挿入口２を有する。このＳＩＭカード挿入口２からＳＩＭカード３が挿入されて後述するカードコネクタ１０１に装着される。
【００２０】
以下、本実施形態に特徴的なハードウェア構成を中心に説明する。
図２に示すように携帯電話１の筐体内にはカードコネクタ１０１が備えられている。カードコネクタ１０１は、ＳＩＭカード３と、携帯電話１の電気回路システムが備えられた回路基板（図示せず）と、を電気的に接続するためのものである。
【００２１】
カードコネクタ１０１は、本体部１０２、ハウジング部１０３、コンタクト部１０４及び端子部１０５を備える。
【００２２】
本体部１０２とハウジング部１０３は一体となるよう組み付けられるものである。本体部１０２とハウジング部１０３が組み付けられた状態では、本体部１０２とハウジング部１０３との間にＳＩＭカード装着空間が形成される。
【００２３】
コンタクト部１０４は、ＳＩＭカード３の入出力端子部（図示せず）と電気的に接触するための端子である。コンタクト部１０４は、本体部１０２に固定されている。
また、端子部１０５は、コンタクト部１０４と、携帯電話１の回路基板（図示せず）と、に接続されている。コンタクト部１０４とＳＩＭカード３の入出力端子部の接触により、ＳＩＭカード３と携帯電話１の回路基板との間で電気信号が受け渡しされる。
【００２４】
カードコネクタ１０１には、ＳＩＭカード３の装着の有無を検出するためのスイッチ２００が一体に設けられている。スイッチ２００は、ＳＩＭカード３によって開閉状態が切り替わるものである。
スイッチ２００は、可動アーム２０１、作用部２０２、接点部２０３及び固定アーム２０４を備えている。
【００２５】
固定アーム２０４は、カードコネクタ１０１の本体部１０２に固定されている。
可動アーム２０１は、板バネ状に形成されており、可撓性を有している。可動アーム２０１は、固定アーム２０４と間隔をあけて備えられている。可動アーム２０１の一端はカードコネクタ１０１の本体部１０２に固定されている。可動アーム２０１の他端は自由端となっている。
【００２６】
可動アーム２０１の自由端側には、作用部２０２が組み付けられている。作用部２０２は、ＳＩＭカード装着空間の奥側（図３において右側）に位置しており、作用部２０２は、ＳＩＭカード装着空間に突出する姿勢となっている。作用部２０２の上面は、図３において右に行くにしたがって上がる傾斜面となっている。
【００２７】
接点部２０３は、可動アーム２０１の下面に形成されている。接点部２０３と固定アーム２０４とは、互いに対向している。接点部２０３と固定アーム２０４とは、相互に電気的接触するための端子である。ＳＩＭカード３がカードコネクタ１０１に挿入されていない状態では、接点部２０３と固定アーム２０４とは接触していない。
【００２８】
また、可動アーム２０１の固定された端部にはスイッチ端子２０５ａが一体に形成され、スイッチ端子２０５ａは図示しない回路基板に接続されている。固定アーム２０４にはスイッチ端子２０５ｂが一体に形成され、スイッチ端子２０５ｂは図示しない回路基板に接続されている。
【００２９】
可動アーム２０１と接点部２０３は、スイッチ端子２０５ａと回路基板を介して接地されている。
固定アーム２０４は、スイッチ端子２０５ｂと回路基板を介して後述するリセット制御部３００に接続されている。
【００３０】
図３、図４に、カードコネクタ１０１の断面図を示す。図３は、ＳＩＭカード３を装着する前の図である。スイッチ２００は、接点部２０３と固定アーム２０４とが接触していない開状態となっている。図４は、ＳＩＭカード３を装着した後の図である。スイッチ２００は、接点部２０３と固定アーム２０４とが接触している閉状態となっている。
【００３１】
次に、本実施形態に特徴的な機能構成について図５を参照して説明する。
携帯電話１の図示しない回路基板は、リセット制御部３００と電気回路制御部４００を備える。図５に示すように、接地されたスイッチ２００がリセット制御部３００に接続されている。即ち、スイッチ端子２０５ａは接地され、スイッチ端子２０５ｂはリセット制御部３００に接続されている。さらに、リセット制御部３００は、電気回路制御部４００に接続されている。
【００３２】
リセット制御部３００は、スイッチ端子２０５ｂの電位の変化を検出してスイッチ２００の開状態と閉状態の切り替わりを検出し、リセット信号を送出するものである。
【００３３】
リセット制御部３００は、単安定マルチバイブレータで構成される。単安定マルチバイブレータとは、外部からトリガが入力されることによって、パルスを出力する回路である。単安定マルチバイブレータから出力されるパルスがリセット信号となる。即ち、リセット制御部３００は、一定時間リセット信号を送出するものである。このリセット信号の送出時間は、電気回路制御部４００がその信号をリセット信号であると認識できる時間に設定される。
【００３４】
電気回路制御部４００は、リセット信号を受信すると、携帯電話１の回路基板に備えられた電気回路システムのリセットシーケンスを実行するものである。リセットシーケンスの実行により、携帯電話１の内部メモリの解放等が行われることとなる。
【００３５】
次に、本発明に特徴的なＳＩＭカード３の挿入による携帯電話１のリセット動作について説明する。
携帯電話１がフリーズしたときは、ユーザは、携帯電話１をリセットするため、携帯電話１からＳＩＭカード３を一旦取り出し、再度、ＳＩＭカード３を携帯電話１の挿入口２から入れて、ＳＩＭカード３をカードコネクタ１０１に挿入する。
【００３６】
カードコネクタ１０１にＳＩＭカード３が挿入されると、ＳＩＭカード３の端部が作用部２０２の傾斜面に当接し、ＳＩＭカード３が作用部２０２を押し下げる。可動アーム２０１は弾性変形し、可動アーム２０１の自由端が下方に向かって移動する。接点部２０３が固定アーム２０４に接触して、スイッチ２００が閉状態となる。作用部２０２はＳＩＭカード３に当接した状態のままなので、スイッチ２００は閉状態を保持する。
リセット制御部３００は、スイッチ端子２０５ｂの電位がＧＮＤレベルに降下したことで、スイッチ２００が開状態から閉状態に切り替わったことを検出する。そして、リセット制御部３００は、電気回路制御部４００にリセット信号を送出する。
【００３７】
図６に、スイッチ２００の電位の変化に応じて送出されるリセット信号の様子を示す。
ＳＩＭカード３の挿入によりスイッチ２００が閉状態になる時刻をｔ１とする。図６（ａ）に示すように時刻ｔ１に、スイッチ２００にかかる電位Ｅｓは、通常レベルｖ１からＧＮＤレベルに降下する。スイッチ２００にかかる電位Ｅｓが降下すると、図６（ｂ）に示しようにリセット制御部３００が送出する信号の電位Ｅｒは通常レベルｖ２からＧＮＤレベルに降下する。そして、時刻ｔ１から一定時間経過後の時刻ｔ２に、当該信号の電位Ｅｒは定常レベルｖ２に戻る。この時刻ｔ１から時刻ｔ２の間にリセット制御部３００が送出する信号がリセット信号である。
【００３８】
電気回路制御部４００は、リセット制御部３００から送出されるリセット信号を受信して、電気回路システムのリセットシーケンスを実行する。電気回路システムのリセットシーケンスが実行されると、携帯電話１の内部メモリの解放等が行われ、携帯電話１の電気回路システムがリセットされて、フリーズが解消する。
【００３９】
以上説明したように、第１の実施形態では、機械的なスイッチ２００が閉状態になることによりＳＩＭカード３が挿入されたことを検出し、そのタイミングで、携帯端末の電気回路システムのリセットシーケンスを実行する。これにより、携帯電話１の電気回路システムがリセットされる。
【００４０】
上述したように、ＳＩＭカード３の端部が作用部２０２の傾斜面に当接し、ＳＩＭカード３が作用部２０２を押し下げる。可動アーム２０１は弾性変形し、可動アーム２０１の自由端が下方に向かって移動する。接点部２０３が固定アーム２０４に接触して、スイッチ２００が閉状態となる。作用部２０２はＳＩＭカード３に当接した状態のままなので、スイッチ２００は閉状態を保持する。
【００４１】
このようにスイッチ２００は機械的なものであり、スイッチ２００はＳＩＭカード３によって閉状態を保持することとなる。従って、携帯電話１は、ＳＩＭカード３等のＩＣカードがカードコネクタ１０１に装着されているか否かを確実に検出することができ、電気回路システムを確実にリセットすることが可能となる。
【００４２】
上述したようにスイッチ２００はカードコネクタ１０１に一体に設けられている。従って、携帯電話１は、防水機能の付与や小型化という目的を達成しつつ、電気回路システムを確実にリセットすることが可能となる。
【００４３】
（第２の実施形態）
本実施形態に係る携帯電話１ａに特徴的なハードウェア構成は、第１の実施形態に係る携帯電話１と同様である。従って、第１の実施形態と同様の構成については第１の実施形態と同様の符号を用いることで、その詳細な説明を省略する。
【００４４】
本実施形態では、リセット動作として、携帯電話１ａの電気回路制御部４００への電力の供給を一時的に遮断し、電力の供給再開のタイミングで携帯電話１ａの電気回路制御部４００に起動シーケンスを実行させる。
【００４５】
次に、本実施形態に特徴的な機能構成を説明する。
本実施形態では、図７に示すように、接地されたスイッチ２００がリセット制御部３００ａに接続されている。リセット制御部３００ａは、給電切替部としての半導体スイッチ５００に接続されている。また、電源である電池４が、半導体スイッチ５００を介して電気回路制御部４００に接続されている。即ち、半導体スイッチ５００は電池４と電気回路制御部４００との間に設けられている。
【００４６】
リセット制御部３００ａは、単安定マルチバイブレータで構成される。従って、リセット制御部３００ａは、第１の実施形態のリセット制御部３００と同様の動作をする。ただし、本実施形態では、リセット制御部３００ａは、半導体スイッチ５００にリセット信号を一定時間送出する。このリセット信号の送出時間は、携帯電話１ａに用いられているコンデンサ等の部品が充分に放電される時間が設定される。
【００４７】
半導体スイッチ５００は、電気回路制御部４００への電力の供給遮断状態を切り替えるものである。具体的には、半導体スイッチ５００は、リセット制御部３００ａからリセット信号を受信していないときは、電力の供給状態となり、リセット信号を受信しているときは、電力の遮断状態となる。
【００４８】
電気回路制御部４００は、電力が供給されていない状態から電力が供給されると、携帯電話１の起動シーケンスを実行する。携帯電話１の起動シーケンスには、電気回路システムのリセットシーケンスの他、例えば、常駐アプリケーションの起動シーケンスが含まれている。
【００４９】
次に、本発明に特徴的なＳＩＭカード３の挿入による携帯電話１ａのリセット動作としての電力の遮断・供給について説明する。
【００５０】
携帯電話１ａがフリーズしたときは、ユーザは、携帯電話１ａをリセットするため、携帯電話１ａからＳＩＭカード３を一旦取り出し、再度、ＳＩＭカード３を携帯電話１ａの挿入口２から入れて、ＳＩＭカード３をカードコネクタ１０１に挿入する。
【００５１】
カードコネクタ１０１にＳＩＭカード３が挿入されると、第１の実施形態で説明したのと同様に作用部２０２がＳＩＭカード３によって押し下げられて、スイッチ２００が閉状態となる。
【００５２】
リセット制御部３００ａは、スイッチ端子２０５ｂの電位がＧＮＤレベルに降下したことで、スイッチ２００が開状態から閉状態に切り替わったことを検出する。そして、リセット制御部３００ａは、半導体スイッチ５００にリセット信号を送出する。
【００５３】
半導体スイッチ５００は、リセット制御部３００ａからのリセット信号を受信すると、電力の供給状態から電力の遮断状態に切り替える。従って、電池４から電気回路制御部４００への給電が遮断される。
【００５４】
図８に、スイッチ２００の電位の変化に応じて送出されるリセット信号と半導体スイッチの供給遮断状態の様子を示す。
ＳＩＭカード３の挿入によりスイッチ２００が閉状態になる時刻をｔ１とする。図８（ａ）に示すように時刻ｔ１に、スイッチ２００にかかる電位Ｅｓは、通常レベルｖ１からＧＮＤレベルに降下する。スイッチ２００にかかる電位Ｅｓが降下すると、図８（ｂ）に示すようにリセット制御部３００ａが送出する信号の電位Ｅｒは通常レベルｖ２からＧＮＤレベルに降下する。そして、時刻ｔ１から一定時間経過後の時刻ｔ２に、当該信号の電位Ｅｒは定常レベルｖ２に戻る。この時刻ｔ１から時刻ｔ２の間にリセット制御部３００ａが送出する信号がリセット信号である。
【００５５】
図８（ｃ）示すように半導体スイッチ５００は、時刻ｔ１に電力の遮断状態になる。半導体スイッチ５００は、時刻ｔ１から時刻ｔ２の間、即ち、リセット制御部３００ａから送出されたリセット信号を受信している間、電力の遮断状態を保持する。そして、半導体スイッチ５００は、リセット信号を受信し終わる時刻ｔ２に、電力の遮断状態から電力の供給状態に切り替える。これにより電池４から電気回路制御部４００へ電力が供給される。
【００５６】
電気回路制御部４００へ電力が供給されると、電気回路制御部４００は、携帯電話１ａの起動シーケンスを実行する。上述したように起動シーケンスには電気回路システムのリセットシーケンスが含まれているので、携帯電話１ａの内部メモリの解放等が行われ、携帯電話１ａの電気回路システムがリセットされて、フリーズが解消する。
【００５７】
以上説明したように、第２の実施形態では、機械的なスイッチ２００が閉状態になることによりＳＩＭカード３が挿入されたことを検出し、そのタイミングで、半導体スイッチ５００により電気回路制御部４００への電力の供給を遮断する。そして、再び電気回路制御部４００に電力が供給されると、携帯電話１の起動シーケンスが実行される。これにより、携帯電話１ａの電気回路システムがリセットされる。
【００５８】
第２の実施形態においても、第１の実施形態と同様に、機械的なスイッチ２００を用いている。従って、携帯電話１ａは、ＳＩＭカード３等のＩＣカードが装着されているか否かを確実に検出することができ、電気回路システムを確実にリセットすることが可能となる。
【００５９】
以上、本発明の実施の形態を説明したが、本発明は上記実施の形態に限られるものではない。
【００６０】
上述の第１、２の実施形態では、ＳＩＭカード３の挿入を検出したときに、電気回路システムのリセットシーケンスを実行したが、電気回路システムのリセットシーケンスを実行するタイミングを、ＳＩＭカード３の抜出を検出したときにしてもよい。
また、第１、２の実施形態で示した、平生は開状態となるスイッチ２００、いわゆるノーマルオープンのスイッチを使用するのではなく、平生は閉状態となるスイッチ、いわゆるノーマルクローズのスイッチを使用してもよい。
【００６１】
ＳＩＭカード３の挿入又は抜出と、スイッチのノーマルオープン又はノーマルクローズと、の組み合わせを変えた場合の、スイッチの開閉状態の切り替わりを表にして図９に示す。図９に示すように、ＳＩＭカード３の挿入又は抜出と、スイッチの種類との組み合わせは４通りとなる。
【００６２】
以下、４通りの組み合わせを変形例１から４として、スイッチの構成と動作をそれぞれ説明する。
【００６３】
（変形例１）
図９において（１）は、ノーマルオープンのスイッチと、ＳＩＭカード３の挿入と、の組み合わせである。この場合に用いるスイッチの構成を図１０に示す。この図１０に示したスイッチは、上述の第１、２の実施形態のスイッチ２００と同様の構成であるので、スイッチ２００と同様の構成に同じ符号を付すことで、スイッチの構成と動作の説明を省略する。
【００６４】
（変形例２）
図９において（２）は、ノーマルオープンのスイッチと、ＳＩＭカード３の抜出と、の組み合わせである。この場合に用いるスイッチの構成を図１１に示す。この図１１に示したスイッチは、上述の第１、２の実施形態のスイッチ２００と同様の構成であるので、スイッチ２００と同様の構成に同じ符号を付すことで、スイッチの構成の説明を省略する。
なお、この場合のスイッチ端子２０５ａは、接地ではなく、図示しない電源に接続されている。
【００６５】
次に、動作について説明する。
図１１（ｓ１）に示すように、ＳＩＭカード３はカードコネクタ１０１に装着された状態となっている。この状態では、ＳＩＭカード３が作用部２０２を押し下げており、接点部２０３が固定アーム２０４に圧接している。即ち、スイッチ２００は閉状態となっている。
【００６６】
図１１（ｓ２）に示すように、ＳＩＭカード３がカードコネクタ１０１から抜出されると、ＳＩＭカード３からの押圧力がなくなった可動アーム２０１は、自己の付勢力により固定アーム２０４から離れる方向へ移動する。接点部２０３は固定アーム２０４から離間し、スイッチ２００は開状態となる。スイッチ２００は、この開状態を保持する。
【００６７】
スイッチ２００が開状態になると、スイッチ端子２０５ｂの電位はＧＮＤレベルに降下する。スイッチ端子２０５ｂの電位がＧＮＤレベルに降下することで、リセット制御部３００は、スイッチ２００が閉状態から開状態に切り替わったことを検出する。そして、リセット制御部３００はリセット信号を送出する。
【００６８】
（変形例３）
図９において（３）は、ノーマルクローズのスイッチと、ＳＩＭカード３の挿入と、の組み合わせである。この場合に用いるスイッチの構成を図１２に示す。
スイッチ２１０は、可動アーム２１１、作用部２１２、接点部２１３及び固定アーム２１４を備えている。
【００６９】
固定アーム２１４は、カードコネクタ１０１の本体部１０２に固定されている。
可動アーム２１１は、板バネ状に形成されており、可撓性を有している。可動アーム２１１は、固定アーム２１４と間隔をあけて備えられている。図１２において可動アーム２１１の右端はカードコネクタ１０１の本体部１０２に固定されている。可動アーム２１１の左端は自由端となっている。
【００７０】
可動アーム２１１の下面には、作用部２１２が組み付けられている。作用部２１２は、ＳＩＭカード装着空間に位置している。作用部２１２の下面は、図１２において右に行くにしたがって下がる傾斜面となっている。
【００７１】
接点部２１３は、可動アーム２１１の下面に形成されている。接点部２１３と固定アーム２１４とは、互いに対向している。接点部２１３と固定アーム２１４とは、相互に電気的接触するための端子である。ＳＩＭカード３がカードコネクタ１０１に挿入されていない状態では、接点部２１３は固定アーム２１４に圧接している。
【００７２】
また、可動アーム２１１の固定された端部にはスイッチ端子２１５ａが一体に形成され、スイッチ端子２１５ａは図示しない回路基板に接続されている。固定アーム２１４にはスイッチ端子２１５ｂが一体に形成されている。スイッチ端子２１５ａは図示しない電源に接続されている。
スイッチ端子２１５ｂは固定アーム２１４とリセット制御部３００とに接続されている。
【００７３】
次に、動作について説明する。
図１２（ｓ１）に示すように、スイッチ２１０は、接点部２１３と固定アーム２１４とが接触している閉状態となっている。
ＳＩＭカード３がカードコネクタ１０１に挿入されると、ＳＩＭカード３の端部が作用部２１２の傾斜面に当接し、ＳＩＭカード３が作用部２０２を押し上げる。可動アーム２１１は弾性変形し、可動アーム２１１の自由端が上方に向かって移動する。接点部２１３が固定アーム２１４から離間して、スイッチ２１０は開状態となる。作用部２１２はＳＩＭカード３に当接した状態のままなので、スイッチ２１０は開状態を保持する。
【００７４】
スイッチ２１０が開状態になると、スイッチ端子２１５ｂの電位はＧＮＤレベルに降下する。スイッチ端子２１５ｂの電位がＧＮＤレベルに降下することで、リセット制御部３００は、スイッチ２１０が閉状態から開状態に切り替わったことを検出する。そして、リセット制御部３００はリセット信号を送出する。
【００７５】
（変形例４）
図９において（４）は、ノーマルクローズのスイッチと、ＳＩＭカード３の抜出と、の組み合わせである。この場合に用いるスイッチの構成を図１３に示す。この図１３に示したスイッチは、図１２のスイッチ２１０と同様の構成であるので、スイッチ２１０と同様の構成に同じ符号を付すことで、スイッチの構成の説明を省略する。
なお、この場合のスイッチ端子２１５ａは、接地されている。
【００７６】
次に、動作について説明する。
図１３（ｓ１）に示すように、ＳＩＭカード３はカードコネクタ１０１に装着された状態となっている。この状態では、ＳＩＭカード３が作用部２０２を押し上げており、接点部２１３が固定アーム２１４から離間している。即ち、スイッチ２１０は開状態となっている。
【００７７】
ＳＩＭカード３がカードコネクタ１０１から抜出されると、図１３（ｓ２）に示すように、ＳＩＭカード３からの押圧力がなくなった可動アーム２１１は、自己の付勢力により固定アーム２１４に近づく方向へ移動する。そして、接点部２１３は固定アーム２１４に圧接して、スイッチ２１０は閉状態となる。スイッチ２１０は、この閉状態を保持する。
【００７８】
スイッチ２１０が閉状態になると、スイッチ端子２１５ｂの電位はＧＮＤレベルに降下する。スイッチ端子２１５ｂの電位がＧＮＤレベルに降下することで、リセット制御部３００は、スイッチ２１０が開状態から閉状態に切り替わったことを検出する。そして、リセット制御部３００はリセット信号を送出する。
【００７９】
以上説明した４通りの組み合わせを適宜変更しても、ＳＩＭカードが装着されているか否かを確実に検出することができ、電気回路システムを確実にリセットすることができる。
【００８０】
（変形例５）
上述の第１、２の実施形態では、リセット制御部３００、３００ａを単安定マルチバイブレータで構成したが、リセット制御部３００、３００ａは単安定マルチバイブレータに限られず、リセット制御部３００、３００ａを、リセット信号を一定時間送出できる他の回路等で構成してもよい。
【００８１】
（変形例６）
また、上述の第２の実施形態では、給電切替部を半導体スイッチ５００によって構成したが、給電切替部は半導体スイッチ５００に限られず、例えば、給電切替部を、タイマー回路を有する給電切替回路によって構成してもよい。この場合には、給電切替部を、リセット信号を受信したら電力の遮断状態となり、タイマー回路を作動して一定時間経過後に電力の給電状態となるように、構成する。
【００８２】
（変形例７）
上述の実施形態では、携帯電話に挿入するＳＩＭカードに限定して説明したが、必ずしもＳＩＭカードに限定されない。携帯電話やその他の携帯端末に使用される他の種類のＩＣカードであってもよい。
【００８３】
（変形例８）
上述の実施形態では、携帯電話を、電池を容易に取り外せない構成としたが、携帯電話に電池カバーを設け、電池を容易に取り外せる構成にしてもよい。
【００８４】
また、本発明は、携帯電話に限らず、他の通信可能な携帯端末、例えば、スマートフォン、タブレットＰＣ(Personal Computer)、ノートＰＣ、ＰＤＡ(Personal Data Assistants：携帯情報端末)）、ＳＩＭカードを有する通信可能なゲーム機等、にも適用可能である。
【００８５】
また、上記の実施形態の一部または全部は、以下の付記のようにも記載されうるが、以下には限られない。
【００８６】
（付記１）
ＩＣカードが挿入されるカードコネクタと、
前記カードコネクタに挿入され又は前記カードコネクタから抜出される前記ＩＣカードによって開閉状態が切り替わり、前記ＩＣカードが前記カードコネクタに挿入され又は前記カードコネクタから抜出された状態で前記開閉状態を保持するスイッチと、
前記スイッチの開閉状態の切り替わりを検出してリセット信号を送出するリセット制御部と、
前記リセット制御部から送出されたリセット信号を受信して電気回路システムのリセットシーケンスを実行する電気回路制御部と、
を備えることを特徴とする携帯端末。
【００８７】
（付記２）
電源から電力が供給されると電気回路システムのリセットシーケンスを実行する電気回路制御部と、
ＩＣカードが挿入されるカードコネクタと、
前記カードコネクタに挿入され又は前記カードコネクタから抜出される前記ＩＣカードによって開閉状態が切り替わり、前記ＩＣカードが前記カードコネクタに挿入され又は前記カードコネクタから抜出された状態で前記開閉状態を保持するスイッチと、
前記スイッチの開閉状態の切り替わりを検出してリセット信号を送出するリセット制御部と、
前記電源と前記電気回路制御部との間に設けられ、前記リセット制御部から送出されたリセット信号を受信して前記電気回路制御部に対する電力の供給遮断状態を切り替える給電切替部と、
を備えることを特徴とする携帯端末。
【００８８】
（付記３）
前記リセット制御部は、前記リセット信号を一定時間送出し、
前記給電切替部は、前記リセット制御部から送出された前記リセット信号を受信している間、電力の遮断状態を保持する、
ことを特徴とする付記２に記載の携帯端末。
【００８９】
（付記４）
前記スイッチは、前記ＩＣカードが前記カードコネクタに挿入されると、開状態から閉状態に切り替わり、
前記リセット制御部は、前記スイッチの開状態から閉状態への切り替わりを検出してリセット信号を送出する、
ことを特徴とする付記１乃至３のいずれか１つに記載の携帯端末。
【００９０】
（付記５）
前記スイッチは、前記ＩＣカードが前記カードコネクタから抜出されると、閉状態から開状態に切り替わり、
前記リセット制御部は、前記スイッチの閉状態から開状態への切り替わりを検出してリセット信号を送出する、
ことを特徴とする付記１乃至３のいずれか１つに記載の携帯端末。
【００９１】
（付記６）
前記スイッチは、前記ＩＣカードが前記カードコネクタに挿入されると、閉状態から開状態に切り替わり、
前記リセット制御部は、前記スイッチの閉状態から開状態への切り替わりを検出してリセット信号を送出する、
ことを特徴とする付記１乃至３のいずれか１つに記載の携帯端末。
【００９２】
（付記７）
前記スイッチは、前記ＩＣカードが前記カードコネクタから抜出されると、開状態から閉状態に切り替わり、
前記リセット制御部は、前記スイッチの開状態から閉状態への切り替わりを検出してリセット信号を送出する、
ことを特徴とする付記１乃至３のいずれか１つに記載の携帯端末。
【００９３】
（付記８）
前記スイッチは、前記カードコネクタに一体に設けられている、
ことを特徴とする付記１乃至７のいずれか１つに記載の携帯端末。
【００９４】
（付記９）
カードコネクタに挿入し又はカードコネクタから抜出するＩＣカードによってスイッチの開閉状態を切り替えるスイッチ切替ステップと、
スイッチの開閉状態の切り替わりを検出してリセット信号を送出するリセット制御ステップと、
リセット信号を受信して携帯端末の電気回路システムのリセットシーケンスを実行する電気回路制御ステップと、
を含むことを特徴とする携帯端末のリセット方法。
【００９５】
（付記１０）
カードコネクタに挿入し又はカードコネクタから抜出するＩＣカードによってスイッチの開閉状態を切り替えるスイッチ切替ステップと、
スイッチの開閉状態の切り替わりを検出してリセット信号を送出するリセット制御ステップと、
リセット信号を受信して電力の供給遮断状態を切り替える給電切替ステップと、
電力の遮断状態から電力の供給状態に切り替わると、携帯端末の電気回路システムのリセットシーケンスを実行する電気回路制御ステップと、
を含むことを特徴とする携帯端末のリセット方法。
【符号の説明】
【００９６】
１、１ａ  携帯電話
２        ＳＩＭカード挿入口
３        ＳＩＭカード
４        電池
５        表示部
６        入力部
１０１            カードコネクタ
１０２            本体部
１０３            ハウジング部
１０４            コンタクト部
１０５            端子部
２００、２１０    スイッチ
２０１、２１１    可動アーム
２０２、２１２    作用部
２０３、２１３    接点部
２０４、２１４    固定アーム
２０５ａ、２０５ｂ、２１５ａ、２１５ｂ    スイッチ端子
３００、３００ａ  リセット制御部
４００            電気回路制御部
５００            半導体スイッチ
【図１】
2014032476.tif 000003
【図２】
2014032476.tif 000004
【図３】
2014032476.tif 000005
【図４】
2014032476.tif 000006
【図５】
2014032476.tif 000007
【図６】
2014032476.tif 000008
【図７】
2014032476.tif 000009
【図８】
2014032476.tif 000010
【図９】
2014032476.tif 000011
【図１０】
2014032476.tif 000012
【図１１】
2014032476.tif 000013
【図１２】
2014032476.tif 000014
【図１３】
2014032476.tif 000015